(57)【要約】【課題】使い勝手のよいキー表示部を有する入力装置を提供すること。【解決手段】キー表示データを格納するキー表示データベースと、操作キーとキー表示部とを備える入力装置において、キー表示データベースからキー表示データを受け取り、キー表示画像データを生成するキー表示画像生成部を有することにより、ユーザに対してキーに割り当てられた機能をより効果的に示すことができる。また、キー表示データベースに複数のキー表示データを用意しておき、キーに対する入力主体の接近状況やキー押下げ状況、時間変化によってキー表示部の表示画像を変化させることで、ユーザの操作性を向上させることができる。【選択図】図４
2006268622.tif 000002
【特許請求の範囲】
【請求項１】
キー表示データを格納するキー表示データベースと、入力を行うための操作キーと、キー表示画像データを表示するキー表示部と、前記キー表示データからキー表示画像データを生成するキー表示画像生成部を有することを特徴とする入力装置。
【請求項２】
キー表示データを格納するキー表示データベースと、キー配置情報を格納するキー配置情報データベースと、入力を行うための操作キーと、キー表示画像データを表示するキー表示部と、前記キー表示データとキー配置情報からキー表示画像データを生成するキー表示画像生成部を有することを特徴とする入力装置。
【請求項３】
入力主体の接近を検出し入力主体接近情報を生成する入力主体接近検出部を有し、前記キー表示画像生成部は入力主体接近検出部から入力主体接近情報を受け取ってキー表示画像データを生成することを特徴とする請求項１または２に記載の入力装置。
【請求項４】
前記キー表示画像データは、入力主体接近の対象数字キー内容を示す矢印の角度情報を含むことを特徴とする請求項３に記載の入力装置。
【請求項５】
キーの押下げを検出しキー押下げ情報を生成するキー押下げ検出部を有し、前記キー表示画像生成部は前記キー押下げ検出部からキー押下げ情報を受け取ってキー表示画像データを生成することを特徴とする請求項１または２に記載の入力装置。
【請求項６】
前記キー表示画像生成部はキー押下げ情報に応じたキーの内容を表示するキー表示画像データを生成することを特徴とする請求項５に記載の入力装置。
【請求項７】
時刻を計測し時間情報を生成する時間管理部を有し、前記キー表示画像生成部は時間管理部から時間情報を受け取って画像を生成することを特徴とする請求項１または２に記載の入力装置。
【請求項８】
前記キー表示画像生成部は時間管理部から時間情報を受け取って所定の時間間隔のタイミングで画像を生成することを特徴とする請求項７に記載の入力装置。
【請求項９】
前記キー表示画像生成部は、隣接する数字キーの内容を表示するキー表示画像データを生成することを特徴とする請求項７または８に記載の入力装置。
【発明の詳細な説明】
【技術分野】
【０００１】
本発明は操作性が向上することが可能なキー表示部を有する入力装置に関する。
【背景技術】
【０００２】
従来の携帯端末のキー表示においては、どのキーが操作されるとどういった情報が携帯端末に入力されるかがユーザに分かるように、キー表面にキー自身に割り当てられた機能を表す図や文字・数字などが印字されていた。さらに、ユーザにキーの機能を見やすく提示するという目的のために、キー自体に表示デバイスを備えた様々な従来技術がある。
【０００３】
特許文献１では、携帯端末のキー表示において、携帯端末の操作キーに対して液晶もしくはＥＬ素子で構成されたキー表示部を備え、キー表示部に表示された画像の向きをユーザの利用形態に応じて変えることを可能にする手段が開示されている。
【０００４】
図１２に特許文献１において開示された携帯端末を示す。画像データを表示するキー表示部１２０２と、キー表示部１２０２へ表示するキー表示データを格納するためのメモリ１２０１と、表示パネルと操作パネルを持ち互いに接続されている携帯端末においてパネル間の接合角度を検出するパネル角度検出部１２０３とを備えている。メモリ１２０１は画像データを格納するメモリを２つ以上備え、各メモリには基準となる画像データから向きが異なった画像データが格納される。メモリ１２０１に格納された画像データは、パネル角度検出部１２０３が検出したパネル角度に応じてキー表示部１２０２へと転送される。キー表示部１２０２では、転送された画像データを表示部へと表示する。特許文献１の適用例を図１３に示す。これによってパネル角度に応じてキー表示部に表示される画像の向きを切り替えることが可能となった。
【特許文献１】特開２００１−３３９４９２号公報（３０ページ、図４）
【発明の開示】
【発明が解決しようとする課題】
【０００５】
しかしながら、上記技術を用いることによってキーの機能を見易くすることが可能となったが、携帯端末が小さくなることによって、ユーザがキー表示部に表示されたキーを操作しようとするとそのキーはユーザ自身の手に隠れて表示が見えなくなってしまい、ユーザは自分自身がどのような操作を行っているのか分かり難く、間違い入力をおこしたり、心理的不安を感じてしまうという課題は残されたままであった。
【０００６】
本発明は、前記従来の課題を解決するもので、キー表示に関してユーザの操作性の低下を防ぎ、より効果的にキーに割り当てられた機能をユーザへ提示することを可能とする入力装置を提供することを目的とする。
【課題を解決するための手段】
【０００７】
前記従来の課題を解決するために本発明の入力装置は、キー表示データを格納するキー表示データベースと、ユーザが入力を行うための操作キーを持ち、前記操作キーはEL素子もしくは液晶などで構成されたキー表示部を有する入力装置において、キー表示データベースからキー表示データを受け取り、キー表示画像データを生成するキー表示画像生成部を備える。
【０００８】
本構成によって、キー表示部に表示するための画像を状況に応じて任意に生成することが可能となる。
【発明の効果】
【０００９】
本発明の入力装置によれば、キー表示データベースに複数のキー表示データを用意しておき、キーに対する指などの入力主体の接近状況やキー押下げ状況、時間変化によってキー表示部の表示画像を変化させることで、ユーザに対して操作性の低下を防ぎキーに割り当てられた機能をより効果的に示すことができる。
【発明を実施するための最良の形態】
【００１０】
以下、本発明の実施の形態について図１から図１１を参照しながら説明する。なお、本発明は、これら実施の形態に何ら限定されるものではなく、その要旨を逸脱しない範囲において、種々なる態様で実施することが出来る。
【００１１】
（実施の形態１）
図１は実施の形態１における主要機能ブロック構成図であり、入力装置はキー表示データを格納するキー表示データベース１０１と、ユーザが入力を行うための操作キー１０２と、指とキーとの距離を検出する指接近検出部１０５と、指接近情報もしくはキー押下げ情報とキー表示データを受け取ってキー表示画像データを生成するキー表示画像生成部１０３と、キー画像表示データを表示するキー表示部１０４と、ユーザからのキー押下げを検出するキー押下げ検出部１０６を備えている。
【００１２】
図２は実施の形態１におけるキー表示フローチャートである。キー押下げ検出部がキー押下げ検出処理を実施しキーの押下げを検出すると（２０１）、キー表示画像生成部はキー押下げ検出部からキー押下げ情報を取得し（２０２）、キー押下げ情報を元にキー表示画像データ生成のタイミングであるかどうかの判定を行う（２０３）。生成のタイミングである場合、キー表示データベースからキー表示データを取得し（２０４）、キー押下げ情報とキー表示データからキー表示画像データを生成する（２０５）。生成されたキー表示画像データはキー表示部に送られ表示される（２０６）。指接近検出部が指接近検出処理を実施し指の接近を検出すると（２０７）、キー表示画像生成部は指接近検出部から指接近情報を受け取り（２０８）、指接近情報を元にキー表示画像データ生成のタイミングであるかどうかの判定を行う（２０９）。生成のタイミングである場合、キー表示データベースからキー表示データを取得し（２１０）、指接近情報とキー表示データからキー表示画像データを生成する（２１１）。生成されたキー表示画像データはキー表示部に送られ表示される（２１２）。
【００１３】
図３は実施の形態１におけるキー表示データベースのデータ構造であり、キー表示データは、各キーに対して初期表示データ、指接近表示データ３０２、キー入力表示データ３０３を備えている。指接近表示データ３０２は、各キーに対して、接近するキー毎にキーと矢印の角度情報とで構成されるレコードを備えている。キー入力表示データ３０３は、各キーに対して、押下げキー毎に文字情報で構成されるレコードを備えている。本実施の形態では、データベースにはキー表示データがすべての状態を網羅した形で格納されている。キー表示画像生成部１０３は各キーに対するキー表示データを静的に取得することが可能となる。
【００１４】
図４は実施の形態１におけるキー表示部画面遷移図であり、キー表示部１０４は初期状態として通常表示パターン４０１を表示している。キー[5]へ指が接近すると、キー表示画像生成部１０３は指接近検出部１０５から受け取った指接近情報とキー表示データベース１０１から受け取ったキー表示データによって表示パターン４０２に示されるキー表示画像データを生成し、キー表示部１０４へ送る。表示内容が変化し、キー表示部１０４の表示内容は指接近表示パターン４０２へ変化する。さらにキー[5]が押されると、キー表示画像生成部１０３はキー押下げ検出部１０６から受け取ったキー押下げ情報とキー表示データベース１０１から受け取ったキー表示データによって、表示パターン４０３に示されるキー表示画像データを生成し、キー表示部１０４へ送る。キー表示部１０４の表示内容はキー入力表示パターン４０３へ変化する。
【００１５】
指接近検出部１０５はユーザがキー入力動作を行おうとして指をキーに接近させた状況を検出すると、キー表示画像生成部１０３は指接近検出部１０５から指接近情報を取得し、キー表示画像データ生成のタイミングであるかどうかの判定を行う。例えばキーと指との距離が10mm、5mm、1mmの時にキー表示画像データを生成する場合、指接近情報として取得したキーと指との距離が10mm、5mm、1mmの時以外の場合は、生成のタイミングではないと判定される。キー表示画像データ生成のタイミングである場合、キー表示画像生成部１０３は、キー表示データとして対応した指接近表示データをキー表示データベース１０１から取得し、キー表示画像データを生成する。具体的には、矢印の角度情報を受け取り、上方向の矢印に対して時計回りに角度を変化させた画像と指接近対象キーに表示されている画像とを合成したキー画像表示データを生成する。生成されたキー表示画像データはキー表示部１０４へ送られ、キー表示部１０４は受け取ったキー表示画像データを表示する。さらに、キー押下げ検出部１０６はユーザからのキー入力を検出すると、キー表示画像生成部１０３はキー押下げ検出部１０６からキー押下げ情報を取得し、キー表示画像データ生成のタイミングであるかどうかの判定を行う。例えば、キー長押しのときはキー表示画像データを生成しない場合、キー押下げ情報がキー長押しに関するものであるなら生成のタイミングではないと判定する。キー表示画像データ生成のタイミングである場合、キー表示画像生成部１０３は、キー表示データとして対応したキー押下げ表示データをキー表示データベース１０１から取得し、キー表示画像データを生成する。具体的には、取得した文字列のキー表示データを画像に変換することでキー表示画像データを生成する。生成されたキー表示画像データはキー表示部１０４へ送られ、キー表示部１０４は受け取ったキー表示画像データを表示する。
【００１６】
この構成により、キー表示画像生成部１０３は指接近検出部１０５から指接近情報と、キー押下げ検出部１０６からキー押下げ情報を受け取ることで、指接近情報とキー押下げ情報によってキー表示画像データを生成することが可能となり、従って、キー表示部１０４に表示する内容をユーザのキー入力過程に応じて段階的に変更することが可能になるという効果が得られる。
【００１７】
なお、本実施の形態では指接近検出部１０５は指がキーへ接近したことを検出しキー表示画像生成部１０３へ指接近情報を送っているが、指がキーから離れたことを検出した場合でも指接近情報を送ってもよい。この時の表示例として、指がキーから離れた時に通常表示パターンへ表示を戻すことが考えられる。また、指接近表示データは指接近距離や速度に応じて複数あってもよい。この時の表示例として、通常表示パターンとキー押下表示パターンとを合成した表示パターンのキー表示データを複数用意しておき、指の接近距離や速度に合わせて段階的に通常表示パターンからキー押下げ表示パターンへ表示を変化させることが考えられる。また、キー押下げ検出部１０６はキーの押下げを検出してキー押下げ情報を送っているが、キー押下げ状態から通常のキー状態へ戻ったことを検出した場合でもキー押下げ情報を送ってもよい。この時の表示例として、キー押下げ状態から通常のキー状態へ戻ったときに通常表示パターンに表示を戻すことが考えられる。また、キー押下げ表示データはキー押下げ時間やキー押下げ数に応じて複数あってもよい。この時の表示例として、キー押下げ時間によって表示内容を拡大縮小・反転させたり、キー押下げが同時に複数あった場合に複数の押下げキーの表示内容を合成して表示することが考えられる。また、本実施の形態は入力主体として人間の指を対象としたものを説明しているが、足・腕・タッチペンなど、キー入力が可能な他の入力主体を使った場合も同様の構成（入力主体接近検出部）で同じ効果が得られる。
【００１８】
（実施の形態２）
図５は実施の形態２における主要機能ブロック構成図であり、入力装置はキー表示データを格納するキー表示データベース５０１と、キー配置情報を格納するキー配置情報データベース５０２と、ユーザが入力を行うための操作キー５０３と、指とキーとの距離を検出する指接近検出部５０６と、指接近情報もしくはキー押下げ情報とキー配置情報とキー表示データを受け取ってキー表示画像データを生成するキー表示画像生成部５０４と、キー画像表示データを表示するキー表示部５０５と、ユーザからのキー押下げを検出するキー押下げ検出部５０７とを備えている。
【００１９】
図６は実施の形態２におけるキー表示フローチャートである。キー押下げ検出部がキー押下げ検出処理を実施しキーの押下げを検出すると（６０１）、キー表示画像生成部はキー押下げ検出部からキー押下げ情報を取得し（６０３）、キー押下げ情報を元にキー表示画像データ生成のタイミングであるかどうかの判定を行う（６０４）。生成のタイミングである場合、キー配置情報データベースからキー配置情報を（６０５）、キー表示データベースからキー表示データを取得し（６０６）、キー押下げ情報とキー配置情報とキー表示データからキー表示画像データを生成する（６０７）。生成されたキー表示画像データはキー表示部に送られ表示される（６０８）。指接近検出部が指接近検出処理を実施し指の接近を検出すると（６０２）、キー表示画像生成部は指接近検出部から指接近情報を受け取り（６０９）、指接近情報を元にキー表示画像データ生成のタイミングであるかどうかの判定を行う（６１０）。生成のタイミングである場合、キー配置情報データベースからキー配置情報を（６１１）、キー表示データベースからキー表示データを取得し（６１２）、指接近情報とキー配置情報とキー表示データからキー表示画像データを生成する（６１３）。生成されたキー表示画像データはキー表示部に送られ表示される（６１４）。
【００２０】
図７は実施の形態２におけるキー表示データベースとキー配置情報データベースのデータ構造であり、キー表示データベース７０１は、キー表示データとして初期表示データと、指接近表示データとキー押下げ表示データのテンプレートを備えている。キー配置情報データベース７０２は、キー配置情報として各キーについて上下左右に隣接するキーの情報を備えている。本実施の形態では、キー表示画像生成部５０４は、必要に応じてキー表示データベース７０１から取得した表示データテンプレートとキー配置情報データベース７０２から取得したキー配置情報とから動的にキー表示画像データを生成する。
【００２１】
本実施の形態のキー表示部画面遷移図は実施の形態１におけるキー表示部画面遷移図と同様であり、図４において、キー表示部５０５は初期状態として通常表示パターン４０１を表示している。キー[5]へ指が接近すると、キー表示画像生成部５０４は指接近検出部５０６から受け取った指接近情報とキー表示データベース５０１から受け取ったキー表示データとキー配置情報データベース５０２から受け取ったキー配置情報によって表示パターン４０２に示されるキー表示画像データを生成し、キー表示部５０５へ送る。表示内容が変化し、キー表示部５０５の表示内容は指接近表示パターン４０２へ変化する。さらにキー[5]が押されると、キー表示画像生成部５０４はキー押下げ検出部５０７から受け取ったキー押下げ情報とキー表示データベース５０１から受け取ったキー表示データとキー配置情報データベース５０２から受け取ったキー配置情報によって、表示パターン４０３に示されるキー表示画像データを生成し、キー表示部５０５へ送る。キー表示部５０５の表示内容はキー入力表示パターン４０３へ変化する。
【００２２】
指接近検出部５０６はユーザがキー入力動作を行おうとして指をキーに接近させた状況を検出すると、キー表示画像生成部５０４は指接近検出部５０６から指接近情報を取得し、キー表示画像データ生成のタイミングであるかどうかの判定を行う。例えばキーと指との距離が10mm、5mm、1mmの時にキー表示画像データを生成する場合、指接近情報として取得したキーと指との距離が10mm、5mm、1mmの時以外の場合は、生成のタイミングではないと判定される。キー表示画像データ生成のタイミングである場合、キー表示画像生成部５０４は、キー配置情報データベース５０２からキー配置情報を、キー表示データとして指接近データのテンプレートをキー表示データベース５０１から取得し、キー表示データとキー配置情報とから動的にキー表示画像データを生成する。具体的には、キー配置情報を元に各キー間の角度を求め、矢印の向きを時計回りに変化させた画像と指接近対象キーに表示されている画像とを合成したキー表示画像データを生成する。さらに、キー押下げ検出部５０７はユーザからのキー入力を検出すると、キー表示画像生成部５０４はキー押下げ検出部５０７からキー押下げ情報を取得し、キー表示画像データ生成のタイミングであるかどうかの判定を行う。例えば、キー長押しのときはキー表示画像データを生成しない場合、キー押下げ情報がキー長押しに関するものであるなら生成のタイミングではないと判定する。キー表示画像データ生成のタイミングである場合、キー表示画像生成部５０４は、キー配置情報データベース５０２からキー配置情報を、テンプレートとなるキー表示データをキー表示データベース５０１から取得し、キー配置情報とキー表示データとから動的にキー表示画像データを生成する。具体的には、取得した文字列データの$key部分を押下げ対象キーに表示されている画像に置き換えたデータと背景データから構成されたキー表示画像データを生成する。文字列データと背景データの表示位置はキー配置情報から計算される。生成されたキー表示画像データはキー表示部５０５へ送られ、キー表示部５０５は受け取ったキー表示画像データを表示する。
【００２３】
この構成により、キー表示画像生成部５０４は指接近検出部５０６から指接近情報を、キー押下げ検出部５０７からキー押下げ情報を、キー配置情報データベース５０２からキー配置情報をそれぞれ受け取ることで、指接近情報とキー押下げ情報とキー配置情報によってキー表示画像データを生成することが可能となり、従って、キー表示部５０５に表示する内容をユーザのキー入力過程に応じて段階的に変更することが可能になるという効果が得られる。
【００２４】
なお、本実施の形態では、キー表示画像生成部５０４はキー表示画像データを生成する度にキー配置情報データベース５０２からキー配置情報を取得しているが、あらかじめ取得を行っておいてもよい。また、指接近検出部５０６は指がキーへ接近したことを検出しキー表示画像生成部５０４へ指接近情報を送っているが、指がキーから離れたことを検出した場合でも指接近情報を送ってもよい。この時の表示例として、指がキーから離れた時に通常表示パターンへ表示を戻すことが考えられる。また、指接近表示データは指接近距離や速度に応じて複数あってもよい。この時の表示例として、通常表示パターンとキー押下げ表示パターンとを合成し、指の接近距離や速度に合わせて段階的に通常表示パターンからキー押下げ表示パターンへ表示を変化させることが考えられる。また、キー押下げ検出部５０７はキーの押下げを検出してキー押下げ情報を送っているが、キー押下げ状態から通常のキー状態へ戻ったことを検出した場合でもキー押下げ情報を送ってもよい。この時の表示例として、キー押下げ状態から通常のキー状態へ戻ったときに通常表示パターンに表示を戻すことが考えられる。また、キー押下げ表示データはキー押下げ時間やキー押下げ数に応じて複数あってもよい。この時の表示例として、キー押下げ時間によって表示を拡大縮小・反転させたり、キー押下げが同時に複数あった場合に複数の押下げキーの表示内容を合成したパターンを表示することが考えられる。また、本実施の形態は入力主体として人間の指を対象としたものを説明しているが、足・腕・タッチペンなど、キー入力が可能な他の入力主体に対しても同様に対応可能である。
【００２５】
（実施の形態３）
図８は実施の形態３における主要機能ブロック構成図であり、入力装置はキー表示データを格納するキー表示データベース８０１と、ユーザが入力を行うための操作キー８０２と、時間変化を検出する時間管理部８０５と、時間情報とキー表示データを受け取ってキー表示画像データを生成するキー表示画像生成部８０３と、キー表示画像データを表示するキー表示部８０４とを備えている。
【００２６】
図９は実施の形態３におけるキー表示フローチャートである。時間管理部が時間変化検出処理を実施し時間変化を検出すると（９０１）、キー表示画像生成部は時間管理部から時間情報を取得し（９０２）、時間情報を元にキー表示画像データ生成のタイミングであるかどうかの判定を行う（９０３）。生成のタイミングである場合、キー表示データベースからキー表示データを取得し（９０４）、時間情報とキー表示データからキー表示画像データを生成する（９０５）。生成されたキー表示画像データはキー表示部に送られ表示される（９０６）。
【００２７】
図１０は実施の形態３におけるキー表示データベースのデータ構造であり、各キーに対して、初期表示データと表示データ１００１と表示データ１００２を備えている。時間情報を受けたキー表示画像生成部は、現在のキー表示状態に応じて適切なキー表示データを取得し、キー表示画像データを生成する。生成されたキー表示画像データはキー表示部へと送られ、キー表示部に画像が表示される。
【００２８】
時間管理部８０５が時間変化検出処理によって時間変化を検出すると、キー表示画像生成部８０３は時間管理部８０５から時間情報を取得し、時間情報を元にキー表示画像データ生成のタイミングであるかどうかの判定を行う。例えば、2秒間隔のタイミングでキー表示画像データを生成する場合は、以前にキー表示画像データを生成してから2秒経過しているかの判定を行う。生成のタイミングと判定した場合は、キー表示画像生成部８０３は現在キー表示部８０４に表示されている表示データを確認し、表示されていないキー表示データをキー表示データベース８０１から取得する。例えば、現在表示データ１００１が表示されているなら表示データ１００２を取得する。さらにキー表示画像生成部８０３は時間情報と取得したキー表示データからキー表示画像データを生成し、キー表示部８０４へ送る。キー表示部８０４は受け取ったキー表示画像データを表示する。
【００２９】
この構成により、キー表示画像生成部８０３は時間管理部８０５から時間情報を受け取ることで、時間情報によってキー表示画像データを生成することが可能となり、従って、キー表示部８０４へ表示する内容を時間で変化させることができ、キーに対してユーザの注意を引くことが可能になるという効果が得られる。
【００３０】
なお、本実施の形態ではキー表示データを２種類として説明したが、それ以上あってもよい。また、キー表示画像データ生成の時間間隔は周期的であってもよいし、非周期的であってもよい。
【００３１】
図１１は実施の形態３におけるキー表示部画面遷移図である。キー表示画像生成部は時間情報とキー表示データからキー表示画像データを生成する。本実施例においては、キー表示画像生成部は表示データ１００１から表示パターン１１０１、表示データ１００２から表示パターン１１０２に示されるキー表示画像データを生成する。さらに時間管理部から受け取った時間情報によって生成タイミングと生成するキー表示画像データを変えることで、キー表示部には時間変化に応じて表示パターン１１０１と表示パターン１１０２が交互に表示される。
【００３２】
上記で説明した実施の形態では、各キーは物理的に分割されて構成されているが、1枚のパネル上に構成されていてもよい。また、本実施の形態は入力主体として人間の指を対象としたものを説明しているが、足・腕・タッチペンなど、キー入力が可能な他の入力主体に対しても同様に対応可能である。
【産業上の利用可能性】
【００３３】
本発明にかかる入力装置は、ユーザに対してキーに割り当てられた機能をより効果的に示すことができ、操作性の高い入力装置として有用である。テレビ、ビデオその他のリモートコントローラや、現金自動預け入れ払い機（ＡＴＭ、Automated Teller Machine）、現金自動支払い機（ＣＤ、Cash Dispenser）などの入力装置にも適用できる。
【図面の簡単な説明】
【００３４】
【図１】本発明の実施の形態１における主要機能ブロック構成図
【図２】本発明の実施の形態１におけるキー表示フローチャート
【図３】本発明の実施の形態１におけるキー表示データベースのデータ構造を説明した図
【図４】本発明の実施の形態１におけるキー表示部画面遷移図
【図５】本発明の実施の形態２における主要機能ブロック構成図
【図６】本発明の実施の形態２におけるキー表示フローチャート
【図７】本発明の実施の形態２におけるキー表示データベースとキー配置情報データベースのデータ構造を説明した図
【図８】本発明の実施の形態３における主要機能ブロック構成図
【図９】本発明の実施の形態３におけるキー表示フローチャート
【図１０】本発明の実施の形態３におけるキー表示データベースのデータ構造を説明した図
【図１１】本発明の実施の形態３におけるキー表示部画面遷移図
【図１２】従来技術の構成図
【図１３】従来技術の適用例を示す図
【符号の説明】
【００３５】
１０１    キー表示データベース
１０２    操作キー
１０３    キー表示画像生成部
１０４    キー表示部
１０５    指接近検出部
１０６    キー押下げ検出部
３０１    キー表示データ
３０２    指接近表示データ
３０３    キー入力表示データ
４０１    通常表示パターン
４０２    指接近表示パターン
４０３    キー入力表示パターン
５０１    キー表示データベース
５０２    キー配置情報データベース
５０３    操作キー
５０４    キー表示画像生成部
５０５    キー表示部
５０６    指接近検出部
５０７    キー押下げ検出部
７０１    キー表示データベース
７０２    キー配置情報データベース
８０１    キー表示データベース
８０２    操作キー
８０３    キー表示画像生成部
８０４    キー表示部
８０５    時間管理部
１００１    表示データ
１００２    表示データ
１１０１    表示パターン
１１０２    表示パターン
１２０１    メモリ
１２０２    キー表示部
１２０３    パネル角度検出部
【図１】
2006268622.tif 000003
【図２】
2006268622.tif 000004
【図３】
2006268622.tif 000005
【図４】
2006268622.tif 000006
【図５】
2006268622.tif 000007
【図６】
2006268622.tif 000008
【図７】
2006268622.tif 000009
【図８】
2006268622.tif 000010
【図９】
2006268622.tif 000011
【図１０】
2006268622.tif 000012
【図１１】
2006268622.tif 000013
【図１２】
2006268622.tif 000014
【図１３】
2006268622.tif 000015